(57)【要約】【課題】使用者の手の指が分泌する皮脂や、使用者の手の皮膚表面に付着している汚れによってタッチパネルが汚されることを防止すること。【解決手段】本発明のタッチパネル１０２は、ユーザの指１０５が、表示済のアイコン（１０６〜１１４）のいずれかに接触すると、該接触したアイコンを選択し、かつ該アイコンに対応する情報を入力する。また、ユーザがタッチパネルに指１０５を近づけ、測定される静電容量レベルが後述する近接しきい値を超えると、該静電容量レベルを検出したタッチパネルの座標位置に存在するアイコン（図３ではアイコン１１０）上に、ポインタ３１５を表示する。該ポインタは、アイコン１１０が、現在の暫定的な入力候補であることを示す。該ポインタが表示された後、ユーザ等の指先が、タッチキー１０３に触れると、このアイコン１１０に対応する情報を入力する。【選択図】図３
2013242742.tif 000002
【特許請求の範囲】
【請求項１】
タッチパネルに配置の異なる複数個の第１のシンボルマークを表示する手段と、
前記第１のシンボルマークのいずれか１つにユーザの指が接触した時に、該シンボルマークに対応して予め定義されている情報を入力する手段と、
前記タッチパネルの任意の位置で静電容量を検出する手段と、
前記タッチパネルにユーザの指が近接し、予め定義されている静電容量レベルを超える静電容量が検出された場合に、該静電容量が検出された位置に表示されている前記第１のシンボルマークの上に、第２のシンボルマークを重ねて表示する手段と、
前記第２のシンボルマークが表示されている場合に、前記タッチパネルに付属するタッチキーにユーザの指が触れた時には、前記第２のシンボルマークが重ねて表示されている前記第１のシンボルマークに対応して予め定義されている情報を入力する手段と
を備える携帯端末装置。
【請求項２】
前記第１のシンボルマークは任意図形のアイコンである
請求項１に記載の携帯端末装置。
【請求項３】
前記第１のシンボルマークは任意図形のポインタである
請求項１又は２に記載の携帯端末装置。
【請求項４】
タッチパネルに配置の異なる複数個の第１のシンボルマークを表示するステップと、
前記第１のシンボルマークのいずれか１つにユーザの指が接触した時に、該シンボルマークに対応して予め定義されている情報を入力するステップと、
前記タッチパネルの任意の位置で静電容量を検出するステップと、
前記タッチパネルにユーザの指が近接し、予め定義されている静電容量レベルを超える静電容量が検出された場合に、該静電容量が検出された位置に表示されている前記第１のシンボルマークの上に、第２のシンボルマークを重ねて表示するステップと、
前記第２のシンボルマークが表示されている場合に、前記タッチパネルに付属するタッチキーにユーザの指が触れた時には、前記第２のシンボルマークが重ねて表示されている前記第１のシンボルマークに対応して予め定義されている情報を入力するステップと
を備える携帯端末装置の入力方法。
【請求項５】
タッチパネルに配置の異なる複数個の第１のシンボルマークを表示するステップと、
前記第１のシンボルマークのいずれか１つにユーザの指が接触した時に、該シンボルマークに対応して予め定義されている情報を入力するステップと、
前記タッチパネルの任意の位置で静電容量を検出するステップと、
前記タッチパネルにユーザの指が近接し、予め定義されている静電容量レベルを超える静電容量が検出された場合に、該静電容量が検出された位置に表示されている前記第１のシンボルマークの上に、第２のシンボルマークを重ねて表示するステップと、
前記第２のシンボルマークが表示されている場合に、前記タッチパネルに付属するタッチキーにユーザの指が触れた時には、前記第２のシンボルマークが重ねて表示されている前記第１のシンボルマークに対応して予め定義されている情報を入力するステップと
を備える、タッチパネルの制御を実行させるためのコンピュータプログラム。
【発明の詳細な説明】
【技術分野】
【０００１】
本発明は携帯端末装置、携帯端末装置の入力方法、及びコンピュータプログラムに関する。
【背景技術】
【０００２】
タッチパネルを使用した入力方法は、携帯端末装置等の入力手段として普及し、この傾向は、今後も益々拡大する傾向にある。タッチパネルを用いた入力方法の場合、使用者の手の指が分泌する皮脂や、使用者の手の皮膚表面に付着している汚れによって、表示・入力用画面が汚されることがある。実際に汚されてしまった場合は、表示・入力用画面上の表示情報の視認性が悪くなるので、この点の解決が急がれていた。
【０００３】
この分野の公知例技術として、例えば特許文献１には、ユーザ命令を３次元的に入力することが可能な電子装置が開示されている。具体的には、この電子装置は、３次元インターフェースを検知するタッチパッド及びタッチパッドが検知した３次元インターフェースに対応し、ＧＵＩを制御する制御部を含む。これにより、ユーザ命令を３次元的に入力することができ、３次元ＧＵＩの３次元的な可変方式とユーザの３次元的な入力操作とがバランスを取るようになる。操作ボタンは、ユーザがタッチすることによりユーザ命令を入力することのできるＰＵＩである。
【０００４】
また、例えば特許文献２には、静電容量検知式タッチパッドの誤動作の再発防止を自動的に行うことができるポインタ表示制御装置が開示されている。具体的には、静電容量検知式タッチパッドからの入力データに基づいて表示装置の画面に表示されるポインタの位置を制御するポインタ表示制御装置である。この装置は、静電容量検知式タッチパッドの誤動作によってポインタがユーザの意図しない位置に移動したかを判定する。そして、この装置は、静電容量検知式タッチパッドの誤動作によってポインタがユーザの意図しない位置に移動したと判定した場合に静電容量検知式タッチパッドの検出感度を低くする。
【０００５】
また、例えば特許文献３には、ユーザにとって入力操作のし易いポインタを生成できるようにする技術が開示されている。具体的には、表示部に設けられたタッチパネルに対するタッチ操作時の接触点を検出し、接触点を含む領域にポインタを生成して表示し、接触点を除いたポインタの先端部分に対応する位置を指示位置として検出する。これにより、指先でタッチ操作されたときは、その指先からポインタが伸びたかのように表示し、指先で選択するのではなくポインタを介して表示部に表示されたリンクボタンを容易に選択することができる。
【０００６】
また、例えば特許文献４には、タッチパネルの操作を容易にし、所望のアイコン等を確実にタッチ操作等することを可能にする技術が開示されている。具体的には、この携帯電話端末は、タッチパネルとディスプレイパネルを備え、タッチパネルの背面側にはディスプレイパネルが設けられる。このディスプレイパネルにはアイコンやマウスポインタが表示される。タッチパネルは、指が置かれた時の圧力値を検知する。そして、携帯電話端末は、タッチパネルの出力値により、タッチパネルに指が接触した時の接触位置とその指先が示す方向を解析し、マウスポインタの表示位置とその指示方向を、指の接触位置と指先が示す方向に応じて制御する。
【０００７】
さらに、例えば特許文献５には、表示画面に接触・近接する操作体の角度に応じて所定の処理を実行する技術が開示されている。具体的には、情報処理装置は、表示画面上の基準座標軸に対する操作体の角度を検出する検出部と、検出部により検出された操作体の角度に応じて所定の処理を実行する実行部とを備える。
【先行技術文献】
【特許文献】
【０００８】
【特許文献１】特表２００８−５４１２２２号公報
【特許文献２】特許第４８３２２１７号公報
【特許文献３】特開２００９−２４５２３９号公報
【特許文献４】特開２０１０−１０２４７４号公報
【特許文献５】特許第４７４３２６７号公報
【発明の概要】
【発明が解決しようとする課題】
【０００９】
しかしながら、前述のとおり、タッチパネルを用いた入力方法の場合、使用者の手の指が分泌する皮脂や、使用者の手の皮膚表面に付着している汚れによって表示・入力用画面が汚されることがある。そして、実際に汚されてしまった場合は、表示・入力用画面上の表示情報の視認性が悪くなる。
【００１０】
本発明の目的は、上述した課題を解決する携帯端末装置、携帯端末装置の入力方法、及びコンピュータプログラムを提供することにある。
【課題を解決するための手段】
【００１１】
上記課題を解決するために、本発明の携帯端末装置は、タッチパネルに配置の異なる複数個の第１のシンボルマークを表示する手段と、第１のシンボルマークのいずれか１つにユーザの指が接触した時に、該シンボルマークに対応して予め定義されている情報を入力する手段と、タッチパネルの任意の位置で静電容量を検出する手段と、タッチパネルにユーザの指が近接し、予め定義されている静電容量レベルを超える静電容量が検出された場合に、該静電容量が検出された位置に表示されている第１のシンボルマークの上に、第２のシンボルマークを重ねて表示する手段と、第２のシンボルマークが表示されている場合に、タッチパネルに付属するタッチキーにユーザの指が触れた時には、第２のシンボルマークが重ねて表示されている第１のシンボルマークに対応して予め定義されている情報を入力する手段とを備える。
【００１２】
また、本発明の携帯端末装置の入力方法は、タッチパネルに配置の異なる複数個の第１のシンボルマークを表示するステップと、第１のシンボルマークのいずれか１つにユーザの指が接触した時に、該シンボルマークに対応して予め定義されている情報を入力するステップと、タッチパネルの任意の位置で静電容量を検出するステップと、タッチパネルにユーザの指が近接し、予め定義されている静電容量レベルを超える静電容量が検出された場合に、該静電容量が検出された位置に表示されている第１のシンボルマークの上に、第２のシンボルマークを重ねて表示するステップと、第２のシンボルマークが表示されている場合に、タッチパネルに付属するタッチキーにユーザの指が触れた時には、第２のシンボルマークが重ねて表示されている第１のシンボルマークに対応して予め定義されている情報を入力するステップとを備える。
【００１３】
さらに、本発明のコンピュータプログラムは、タッチパネルの制御を実行させるためのコンピュータプログラムであり、タッチパネルに配置の異なる複数個の第１のシンボルマークを表示するステップと、第１のシンボルマークのいずれか１つにユーザの指が接触した時に、該シンボルマークに対応して予め定義されている情報を入力するステップと、タッチパネルの任意の位置で静電容量を検出するステップと、タッチパネルにユーザの指が近接し、予め定義されている静電容量レベルを超える静電容量が検出された場合に、該静電容量が検出された位置に表示されている第１のシンボルマークの上に、第２のシンボルマークを重ねて表示するステップと、第２のシンボルマークが表示されている場合に、タッチパネルに付属するタッチキーにユーザの指が触れた時には、第２のシンボルマークが重ねて表示されている第１のシンボルマークに対応して予め定義されている情報を入力するステップとを備える。
【発明の効果】
【００１４】
以上の説明から明らかなように、本発明によれば、ユーザは、タッチパネルに自己の指を触れずに入力できるので、タッチパネルをユーザの指の皮脂や汚れで汚して視認性を悪くしてしまうといった問題点を解消することができる効果がある。
【図面の簡単な説明】
【００１５】
【図１】本発明の実施形態に係る携帯端末装置に採用されたタッチパネルの外観を示す外観図である。
【図２】本発明の実施携帯に係る携帯端末装置１０１のブロック構成を示す構成図である。
【図３】本発明の実施形態に係るタッチパネル１０２のアイコンとアイコン上の表示とを示す説明図である。
【図４】本発明の実施形態に係るタッチパネル１０２が検出する静電容量レベルを示す説明図である。
【図５】本発明の実施形態に係るタッチパネル１０２が検出する静電容量レベルを断面方向から見たグラフ図であり、図５（ａ）は静電容量レベルが近接しきい値以下の場合、図５（ｂ）は静電容量レベルが近接しきい値以上の場合、図５（ｃ）は静電容量レベルが接触しきい値以上の場合、をそれぞれ示す。
【図６】本実施形態に係るタッチパネル１０２のタッチパネルの入力時の基本的な動作（即ち、接触しきい値に基づく入力動作）を示すフローチャート図である。
【図７】本発明の実施形態に係るタッチパネル１０２の入力時の動作を動作仕様として補足する説明図である。
【図８】動作７０１ｃ〜７０４ｃに対応するユーザの操作を示す説明図である。
【図９】動作７０１ｄ〜７０４ｄに対応するユーザの操作を示す説明図である。
【発明を実施するための形態】
【００１６】
以下、発明の実施形態について、図面を参照して詳細に説明する。図１は、本発明の実施形態に係る携帯端末装置に採用されたタッチパネルの外観を示す外観図である。同図における携帯端末装置１０１は、表示部と一体となった静電容量結合型のタッチパネル１０２を備え、タッチパネル１０２には、配置の異なる任意図形のアイコン１０６〜１１４（第１のシンボルマーク）が表示される。携帯端末装置１０１の各構成要素は、全て、本発明の実施形態に係るタッチパネル１０２の構成要素でもある。
【００１７】
このアイコン１０６〜１１４は、ユーザが、自己の指１０５で触れることでも選択し、かつ選択されたアイコンに対して予め定義されている所定の情報を入力することができる。また、携帯端末装置１０１の側面には、タッチキー１０３を装備している。このタッチキー１０３は、アイコンのいずれか１つに任意図形のポインタ（第２のシンボルマーク）が表示されている場合、ユーザが自己の指１０４を触れた時に、アイコンに対して予め定義されている所定の情報を入力させることができる機能を備える。
【００１８】
図２は、本発明の実施携帯に係る携帯端末装置１０１のブロック構成を示す構成図である。同図に示す携帯端末装置１０１は、タッチキー１０３（既述）、ＣＰＵ２０１、メモリ２０２、表示制御部２０３、表示部２０４、タッチパネル制御部２０５、タッチパネル１０２、及びタッチキー検出部２０７を具備する。ＣＰＵ２０１は、メモリ２０２に格納されたプログラムに従って、表示制御部２０３、タッチパネル制御部２０５、タッチキー検出部２０７にアクセスし、必要な情報を取り出す。また、表示制御部２０３を介して表示部２０４に、表示すべきデータを送出する。
【００１９】
以下、図３〜９を参照して、携帯端末装置１０１に搭載された静電容量型タッチパネルでの、ユーザの指先の指し示す位置の検出方法を説明する。タッチパネル１０２は、ユーザが指１０５を近づけることにより、測定する静電容量レベルが後述する近接しきい値（図５参照）を超えると、静電容量レベルを検出した座標に位置するアイコン上に、ポインタを重ねて表示する。このポインタは、アイコンが現在の暫定的な入力候補のアイコンであることを示し、ユーザの入力意思の最終的な伝達は、前述のとおり、タッチキー１０３にユーザ等が指を触れることで実行される。即ち、ユーザは、タッチキー１０３に自己の指等を触れることにより、ポインタが表示されているアイコンに対して予め定義されている所定の情報を入力することができる。
【００２０】
図３は、本発明の実施形態に係るタッチパネル１０２のアイコンとアイコン上の表示とを示す説明図である。同図では、アイコン１１０にユーザが指１０５を近づけた際、アイコン１１０上にポインタ３１５が表示されたところを示し、これにより、アイコン１１０が、入力候補として暫定的に選択されていることを示している。なお、このアイコン１１０が実際に入力されるためには、前述のとおり、ユーザ等の指先が、タッチキー１０３に触れる（タッチする）ことが必要である。
【００２１】
図４は、本発明の実施形態に係るタッチパネル１０２が検出する静電容量レベルを示す説明図である。同図では、表示部と一体のタッチパネル１０２に対して、ユーザが指１０５を近づけた際にタッチパネル１０２が検出している静電容量レベルを、領域４０７〜領域４１０で表している。タッチパネル１０２に近づいている指１０５の先の領域４０７が最も静電容量検出レベルが高く、領域４０７＞領域４０８＞領域４０９の関係になっている。指４０６もタッチパネル１０２に近づいており、よって、指４０６近くの領域４１０は領域４０９よりも静電容量検出レベルが高くなる。これらの静電容量検出レベルの分布から、指１０５が指している位置にポインタ３１５を表示する。
【００２２】
図５は、本発明の実施形態に係るタッチパネル１０２が検出する静電容量レベルを断面方向から見たグラフ図である。図５（ａ）は静電容量レベルが近接しきい値以下の場合、図５（ｂ）は静電容量レベルが近接しきい値以上の場合、図５（ｃ）は静電容量レベルが接触しきい値以上の場合、をそれぞれ示す。同図では、ユーザの指１０５とタッチパネル１０２との間の距離５０３（ａ、ｂ、ｃ）に対する静電容量検出レベルの状態を断面方向から見たグラフ図を示している。従前は、静電容量検出レベルが、ユーザの指１０５がタッチパネル１０２と接触したことを検出するための接触しきい値５０４を超えたか否かでタッチ入力を判定している。しかしながら、本発明では、接触しきい値５０４よりも低い値の近接しきい値５０５を新たに設けることで、ユーザの指１０５がタッチパネル１０２に接近したことを判定することができるようにしている。
【００２３】
以下、本発明の実施形態に係るタッチパネル１０２の入力時の動作を説明するが、その前に、本実施形態に係るタッチパネル１０２の基本的な入力時の動作について説明する。図６は、本実施形態に係るタッチパネル１０２の入力時の基本的な動作（即ち、接触しきい値に基づく入力動作）を示すフローチャート図である。この動作は、従前のタッチパネルにも共通する基本的な入力動作であり、タッチパネル１０２及びタッチキー１０３で、ユーザの指の接触の有無を検出し、ＣＰＵに割り込みの発生を通知するまでの、従前の代表的なタッチパネルの処理にも共通する処理である。ここで、基本的な入力動作とは、接触しきい値に基づく入力動作である。
【００２４】
（ステップＳ１）：まず、ステップＳ１では、タッチパネル検出開始と共に、ユーザの指の接触の有無を状態として示す検出フラグを「非検出」に初期化（初期設定）する。（ステップＳ２）：次に、ステップＳ２では、タッチパネル１０２の静電容量レベルを測定する。（ステップＳ３）：引き続き、ステップＳ３では、測定した静電容量レベルが、しきい値（この基本動作では接触しきい値とする）以上のレベルであるかを検証し、測定した静電容量レベルが、しきい値以上であればステップＳ４に進む。また、測定した静電容量レベルが、しきい値以上でなければステップＳ９に移る。（ステップＳ４）：ステップＳ４では、タッチパネル１０２のタッチ位置座標を算出する。（ステップＳ５）：ステップＳ５では、引き続き、算出したタッチ位置座標を内部レジスタに格納する。
【００２５】
（ステップＳ６）：ステップＳ６では、現在の検出フラグの状態が「非検出」であるか否かを検証する。現在の検出フラグの状態が「非検出」であればステップＳ７に進む。また、現在の検出フラグの状態が「非検出」でなければステップＳ８に移る。（ステップＳ７）：ステップＳ７では、検出フラグの状態を「検出」にした後、ＣＰＵに割り込みを通知し、ステップＳ８に進む。（ステップＳ８）：ステップＳ８では、タッチパネル１０２の検出処理を終了するか否かを検証する。タッチパネル１０２の検出処理を終了する場合は、タッチパネル１０２の検出処理を終了する。また、タッチパネル１０２の検出処理を終了しない場合は、ステップＳ２に戻る。
【００２６】
（ステップＳ９）：ステップＳ９では、タッチパネル１０２のタッチ座標を格納する前述の内部レジスタをクリアする。（ステップＳ１０）：ステップＳ１０では、現在の検出フラグの状態が「非検出」であるか否かを検証する。現在の検出フラグの状態が「非検出」であればステップＳ８に移る。また、現在の検出フラグの状態が「非検出」でなければステップＳ１１に移る。（ステップＳ１０）：ステップＳ１０では、検出フラグの状態を「検出」にした後、ＣＰＵに割り込みを通知し、ステップＳ８に移る。この後、ＣＰＵでは、タッチ座標に対応するアイコン等を決定し、対応する所定の情報を入力することができる。
【００２７】
本発明の実施形態に係るタッチパネル１０２の入力時の動作は、図６に示す基本的なタッチパネル１０２の動作に対して、以下に説明する特徴的な動作を加える。以下では、この特徴的な動作について、図６に示す基本的なタッチパネル１０２の動作を参照しながら、説明する。図７は、本発明の実施形態に係るタッチパネル１０２の入力時の動作を動作仕様として補足する説明図である。同図は、より具体的には、タッチパネル１０２に表示されたアイコンなどを選択し決定する方法を、図６に示すタッチパネル１０２の基本的な動作を補足する動作として示した説明図である。
【００２８】
図７（ａ）は、図６に示す基本的なタッチパネル１０２の入力時に対応する動作を示す。この場合は、先ず、タッチパネル１０２にユーザが指を接触していない状態（タッチパネル非検出）（７０１ａ）→タッチパネル１０２にユーザが指を接触した状態（タッチパネル接触検出）（７０２ａ）に遷移する。その後、タッチパネル１０２からユーザが指を離した状態（タッチパネル非検出）（７０３ａ）に遷移することによって、タッチパネル１０２上の任意の位置のアイコンを選択し、入力アイコンを決定する。
【００２９】
図７（ｂ）〜（７ｆ）は、本発明の実施形態に係るタッチパネル１０２の入力時の動作を示す。この場合は、タッチパネル１０２とタッチキー１０３との検出状態遷移によって選択と決定を行う。まず、図７（ｂ）に示す場合では、ユーザの指はタッチキー１０３には触れず、タッチパネル１０２だけに触れて選択と決定を行う。したがって、実質的には、図７（ａ）に示す基本動作と同じである。但し、接触検出（測定した静電容量レベルが図５に示す接触しきい値を超えた場合）だけではなく、近接検出（測定した静電容量レベルが図５に示す近接しきい値を超えた場合）で、該当位置のアイコン上にポインタを表示する。同図では、この動作を△のマークで表示している。
【００３０】
図７（ｃ）の場合、タッチパネル１０２とタッチキー１０３から指が離れた状態（タッチパネル非検出、タッチキー非検出）（７０１ｃ）→タッチパネル１０２に指が近づいた状態（タッチパネル近接検出、タッチキー非検出）（７０２ｃ）に遷移する。そして、タッチキー１０３にユーザが指を触れた状態（タッチパネル近接検出、タッチキー検出）（７０３ｃ）に遷移する。そして、タッチキー１０３からユーザが指を離した状態（タッチパネル近接検出、タッチキー非検出）（７０４ｃ）に遷移すると、タッチパネル１０２上の任意位置のアイコンを選択し、入力アイコンを決定する。なお、この動作７０１ｃ〜７０４ｃに対応するユーザの一連の操作は、図８の符号８０１〜８０４で示す。
【００３１】
図７（ｄ）の場合、タッチパネル１０２とタッチキー１０３から指が離された状態（タッチパネル非検出、タッチキー非検出）（７０１ｄ）→タッチキー１０３に指を触れた状態（タッチパネル非検出、タッチキー検出）（７０２ｄ）に遷移する。そして、タッチパネル１０２にユーザが指を近づけた状態（タッチパネル近接検出、タッチキー検出）（７０３ｄ）に遷移する。そして、タッチパネル１０２からユーザが指を離した状態（タッチパネル非接検出、タッチキー検出）（７０４ｄ）に遷移すると、タッチパネル１０２上の任意位置のアイコンを選択し入力アイコンを決定する。なお、この動作７０１ｄ〜７０４ｄに対応するユーザの一連の操作は、図９の符号９０１〜９０４で示す。以下、図７（ｅ）及び図７（ｆ）に示す動作については、上記の説明に準じる動作であるので、ここでの説明は省略する。
【００３２】
この実施形態に係るタッチパネル１０２によれば、ユーザは、タッチパネル１０２に自己の指を触れずに、入力すべきアイコンに自己の指を近づけただけで、アイコン上に表示されるポインタによって入力アイコンを確認し、選択することができる効果がある。また、タッチキー１０３に指を接触させるだけで、現在ポインタが表示されているアイコンを決定して入力できるため、タッチパネル１０２をユーザの指の皮脂や汚れで汚して視認性を悪くしてしまうといった問題点を解消することができる効果がある。
【００３３】
また、この実施形態に係るタッチパネル１０２によれば、ユーザが、タッチパネル１０２に自己の指を近づけたときに、近接しきい値を超える静電容量レベルが検出された指先の画面表示（アイコン等）上に、ポインタが表示される。これにより、ユーザは、タッチキーで入力を決定する以前に、自己の指差し位置を視認しながら、入力する位置座標を調整することができる効果が得られる。
【００３４】
さらに、この実施形態に係るタッチパネル１０２によれば、タッチパネル１０２とタッチキー１０３との検出状態の遷移で、入力するか否か及び入力位置（アイコン等）を決定する。このため、近接検出でユーザの意図した位置からずれた位置が選択され、ポインタが表示されてしまっても、このことによって、即座には入力及び入力位置（アイコン等）が決定されないため、ポインタを意図した位置に移動させてから決定することができる。
【００３５】
なお、各構成要素の処理の少なくとも一部をコンピュータ制御により実行する。かつ、上記処理を、図６のフローチャート及び図７で補足する動作仕様で示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行してもよい。
【符号の説明】
【００３６】
１０１  携帯端末装置
１０２  タッチパネル
１０３  タッチキー
１０４  指
１０５  指
１０６  アイコン
１０７  アイコン
１０８  アイコン
１０９  アイコン
１１０  アイコン
１１１  アイコン
１１２  アイコン
１１３  アイコン
１１４  アイコン
２０１  ＣＰＵ
２０２  メモリ
２０３  表示制御部
２０４  表示部
２０５  タッチパネル制御部
２０７  タッチキー検出部
３１５  ポインタ
【図１】
2013242742.tif 000003
【図２】
2013242742.tif 000004
【図３】
2013242742.tif 000005
【図４】
2013242742.tif 000006
【図５】
2013242742.tif 000007
【図６】
2013242742.tif 000008
【図７】
2013242742.tif 000009
【図８】
2013242742.tif 000010
【図９】
2013242742.tif 000011